(57)【特許請求の範囲】
【請求項１】
複数の入力映像信号から、１つ又は２つを選択して、選択した映像信号に対して映像伸長及び／又は合成処理を行う映像処理部と、
１画面とその１画面を左右２分割した２画面とで切替えて表示可能の表示部と、
前記映像処理部に周期的に制御命令を発行する制御部と、
を具備し、
前記制御部は、２画面表示から１画面表示へ切替えを指示された場合、２画面のうち、操作された側の画面に対して、オフさせまたは一度他の画面の内容を表示させてから、他の画面の内容を１画面表示に切替える制御を行う、
映像表示装置。
【請求項２】
１画面表示から２画面表示への切替え、及び２画面のそれぞれに対する操作を行うボタンを備えるリモートコントローラを有する、請求項１に記載の映像表示装置。
【発明の詳細な説明】
【技術分野】
【０００１】
本発明は、映像表示装置に関し、より特定的には、表示アスペクト比が１６：９よりも大きな画面を有する映像表示装置に関する。
【背景技術】
【０００２】
近年、上記のような映像表示装置が開発されている。この種の映像表示装置は、車両の後部座席の観視者が映像を楽しむような用途に期待されている。
【０００３】
この種の映像表示装置は、横方向に長いため、後部座席に着座する複数の観視者に単一の映像を表示したり、複数の観視者にそれぞれ別個の複数の映像を合成表示したりすることができる（例えば、下記の非特許文献１を参照）。
【非特許文献１】"車載向けの横長ＩＰＳ液晶モジュールを開発"、［online］、２００６年７月２５日、株式会社日立ディスプレイズ、［２００７年６月２６日検索］、インターネット＜URL :http://www.hitachi-displays.com/news/2052306_16927.html＞
【発明の開示】
【発明が解決しようとする課題】
【０００４】
従来の映像表示装置では、第１観視者及び第２観視者毎に異なるコンテンツを二画面表示される。この表示中、第１観視者の目にも第２観視者向けの表示コンテンツがある程度入るので、第１観視者が第２観視者向けの表示コンテンツに興味を持ち、該表示コンテンツを観視したくなるという状況が想定される。この場合、第１観視者は、より観視し易い状態で第２観視者向けの表示コンテンツを観視したいであろう。
さらに、二画面表示からダイレクトに、単一コンテンツの一画面表示に遷移させると、第１観視者が操作を行ったことを知らない可能性がある第２観視者は何が起こったのか把握しづらくなり当惑するとの問題がある。
【０００５】
それ故に、本発明の目的は、第１観視者及び第２観視者毎に異なるコンテンツを二画面表示中に、第１観視者が第２観視者の表示コンテンツを観視しやすくする。さらに、画面遷移による第２観視者の当惑を減らすことが可能な映像表示装置を提供することである。
【課題を解決するための手段】
【０００６】
上記目的を達成するために、本発明の一局面に係る映像表示装置は、複数の入力映像信号から、１つ又は２つを選択して、選択した映像信号に対して映像伸長及び／又は合成処理を行う映像処理部と、１画面とその１画面を左右２分割した２画面とで切替えて表示可能の表示部と、映像処理部に周期的に制御命令を発行する制御部と、を具備し、制御部は、２画面表示から１画面表示へ切替えを指示された場合、２画面のうち、操作された側の画面に対して、オフさせまたは一度他の画面の内容を表示させてから、他の画面の内容を１画面表示に切替える制御を行う。
【発明の効果】
【０００７】
上記一局面によれば、第１観視者及び第２観視者毎に異なるコンテンツを二画面表示中、第１観視者がボタン操作を行うと、第２表示部が、第２観視者向けに表示されていたコンテンツを一画面表示する。このように、二画面表示中に、第１観視者が第２観視者向けに表示されているコンテンツを観視したくなった場合にも、第１観視者のボタン操作により、第２観視者向けのコンテンツが一画面表示される。これによって、第１観視者及び第２観視者にとって観視しやすい表示を提供することが可能となる。
さらに、第２観視者にとっては、段階的な表示内容の遷移により、第１観視者が操作を行ったことを知らない可能性がある第２観視者は何が起こったのか把握しづらくなるといった当惑を減らすことが可能となる。
【発明を実施するための最良の形態】
【０００８】
以下、本発明の実施の形態の映像表示装置ついて、図面を用いて説明する。
【０００９】
図１は、本発明の一実施形態に係る映像表示装置１の構成を示すブロック図である。なお、図１には、映像表示装置１と協働するリモートコントローラ（以下、リモコンという）２も示されている。
【００１０】
図１において、映像表示装置１は、１つの入力映像信号を１画面表示するか、２つの入力映像信号を２画面表示するかを、リモコン２からの操作命令に従って切り換える。
【００１１】
また、リモコン２は、映像処理装置１を離れた位置から観視者が操作することが可能なリモコンである。なお、本実施の形態では、リモコン２により映像表示装置１は遠隔から操作されるとして説明するが、映像表示装置１の操作は、映像表示装置１に付随したタッチパネルでも、ＥＳＷ（エスカッションスイッチ）でもよい。タッチパネルの場合は、以後の説明におけるボタンを、後述の表示部１２の画面上に合成表示されるソフトウェアスイッチとして、また、ＥＳＷスイッチであれば、映像表示装置１の外装体に配置されるハードウェアスイッチとして読み替えることで、本映像表示装置１を当事者は容易に実施可能である。
【００１２】
次に、リモコン２の詳細な構成について説明する。リモコン２は、観視者による操作を操作命令に変換する操作部２１と、操作部２１で生成された操作命令を、赤外線信号などの無線信号などに変換して、映像表示装置１に送信する送信部２２とを備えている。
【００１３】
次に、映像表示装置１の構成について説明する。映像表示装置１は、映像処理部１１と、表示部１２と、受信部１３と、制御部１４とを備えている。
【００１４】
映像処理部１１は典型的にはハードウェア回路で構成され、映像処理部１１には、複数の入力端子（図示は４つ）を介して、複数の映像信号（図示は４つの映像信号）が入力される。映像処理部１１は、複数の入力映像信号から、１つ又は２つを選択して、選択した映像信号に対して映像伸長及び／又は合成処理を行って、処理後の映像信号を表示部１２に出力する。
【００１５】
表示部１２は、例えば、液晶ディスプレイから構成される。具体的には、表示部１２は、１６：９よりも大きい表示アスペクト比を有する。さらに具体的には、水平方向に１６００ドット分、垂直方向に４８０ドット分の正方画素を表示部１２は有しており、横長の形をしているものとして説明する。このような表示部１２は、映像処理部１１の出力映像信号を表示する。
【００１６】
受信部１３は、典型的にはハードウェア回路で構成され、リモコン２からの無線信号を受信して、操作命令を取り出し、制御部１４に渡す。
【００１７】
制御部１４は、ＣＰＵ１４１、フラッシュＲＯＭ１４２及びＲＡＭ１４３で構成され、ＣＰＵ１４１がフラッシュＲＯＭ１４２に記憶された制御プログラムをＲＡＭ１４３を用いて実行することで、受信部１３から受け取った操作命令に従って、映像処理部１１に対し、選択すべき映像信号の指示（制御命令）と、伸長率及び／又は合成方法の指示（制御命令）を与える。
【００１８】
具体的には、映像表示装置１には、複数の映像信号が複数の外部機器から入力され、映像処理部１１に供給されている。外部機器からの映像信号とは、例えば、ＤＶＤ（Ｄｉｇｉｔａｌ  Ｖｅｒｓａｔｉｌｅ  Ｄｉｓｃ）のような記憶媒体に記憶されたもの、地上デジタル放送又は衛星デジタル放送の放送機器からのもの、若しくはカメラ又はカーナビゲーションシステムなどからのものがある。なお、以後、これらの映像信号をコンテンツといい、図１の例では、４つのコンテンツＡ、Ｂ、Ｃ及びＤが映像表示装置１に供給されているものとする。
【００１９】
なお、本映像表示装置１は二画面表示が可能だが、もし観視者が放送機器からの出力映像信号を２チャンネル分観視したい場合には、二台の放送機器（チューナー）のそれぞれから１チャンネル分の映像信号を映像表示装置１に、別個のコンテンツとして与える必要がある。
【００２０】
本映像表示装置１は、入力映像信号を水平方向及び垂直方向に伸張して表示可能で、本映像表示装置１には、一画面向けに各方向への伸張率の設定値が複数予め用意され、さらに、二画面表示用に両方向への伸長率の設定値が複数予め用意されている。以後、この設定値を画面サイズと呼ぶことにする。観視者は操作部２１を操作することにより、この画面サイズを変更する。
【００２１】
ここで、一画面の場合における、画面サイズの種類と、各画面サイズの水平方向及び垂直方向の伸張率とを表１に示し、二画面の場合におけるものを表２に示す。
【００２２】
【表１】
0005145797.tif 000002
【００２３】
【表２】
0005145797.tif 000003
【００２４】
上記表１に示すように、本映像表示装置１には、一画面の場合における画面サイズとして、ノーマル、ワイド、スーパーワイド、ウルトラワイド、ウルトラズーム、スーパーズーム及びズームが用意されている。ノーマルについては、水平方向伸長率は１．００倍であり、垂直方向伸長率は１．００倍である。以下、ワイドの水平方向伸長率及び垂直方向伸長率はそれぞれ１．３３倍及び１．００倍であり、スーパーワイドの水平方向伸長率及び垂直方向伸長率はそれぞれ２．００倍及び１．００倍であり、ウルトラワイドの水平方向伸長率及び垂直方向伸長率はそれぞれ２．５０倍及び１．００倍であり、ウルトラズームの水平方向伸長率及び垂直方向伸長率はそれぞれ２．５０倍及び１．３３倍であり、スーパーズームの水平方向伸長率及び垂直方向伸長率はそれぞれ２．００倍及び１．３３倍であり、ズームの水平方向伸長率及び垂直方向伸長率はそれぞれ１．３３倍及び１．３３倍である。
【００２５】
また、上記表２に示すように、本映像表示装置１には、二画面の場合における画面サイズとして、ノーマル、ワイド及びズームが用意されている。ノーマルについては、水平方向伸長率は１．００倍であり、垂直方向伸長率は１．００倍である。以下、ワイドの水平方向伸長率及び垂直方向伸長率はそれぞれ１．２５倍及び１．００倍であり、ズームの水平方向伸長率及び垂直方向伸長率はそれぞれ１．２５倍及び１．３３倍である。なお、ワイド及びズームの水平方向伸長率は１．２５倍を１．３３倍に設定されていても構わない。ただし、この場合、１．３３倍で水平方向に伸長した映像は、左右両側ともに２５ドットずつカットして、水平方向に８００画素に調整されても構わない。
【００２６】
ここで、映像信号の映像アスペクト比には様々な種類がある。映像アスペクト比の典型例は、４：３、１６：９ビスタ（レターボックス）、１２：５シネマスコープ（レターボックス）、１６：９ビスタ（スクイーズ）、１２：５（スクイーズ）である。ここで、図２は、入力映像信号のアスペクト比の種類ごとに、各画面サイズで表示部１２に一画面表示した場合の見え方を示す図であり、図３は、それに二画面表示した場合の見え方を示す図である。
【００２７】
なお、４：３又は１６：９ビスタ（スクイーズ）の入力映像信号を、ウルトラズーム、スーパーズーム及びズームにすると、画面サイズ変更後には、元々の映像の端部分及び下端部分がカットされる。この点を考慮して、観視者は画面サイズを選択する必要がある。ただし、上記以外の入力映像信号のアスペクト比と、変更後のアスペクト比とが上記の組み合わせでなければ、カットされるのは元々の映像に付加された黒帯部分になる。よって、この場合には、観視者は、元々の映像部分のカットを気にせず画面サイズを選択すればよい。
【００２８】
次に、図１におけるリモコン２の操作部２１について説明する。図４は、操作部２１の一例としてのボタン群を示す図である。図４において、操作部２１は、左用二画面ＯＮ／ＯＦＦボタン２１１Ｌ、右用二画面ＯＮ／ＯＦＦボタン２１１Ｒを含む。両二画面ＯＮ／ＯＦＦボタン２１１Ｌ及び２１１Ｒともに、二画面表示をＯＮにするか（つまり、二画面にするか）、二画面表示をＯＦＦにするか（つまり、一画面にするか）を選択する操作ボタンである。ただし、左用二画面ＯＮ／ＯＦＦボタン２１１Ｌは、二画面のうち左側の画面を遠隔操作するために用いられ、右用二画面ＯＮ／ＯＦＦボタン２１１Ｒは、右側を遠隔操作するために用いられる。
【００２９】
操作部２１はさらに、左用コンテンツボタン２１２Ｌと、右用コンテンツボタン２１２Ｒとを含む。両コンテンツボタン２１２Ｌ及び２１２Ｒはともに、一画面表示の際には、本映像表示装置１に入力される複数の入力映像信号から１つを選択する操作ボタンである。ただし、二画面表示の際には、左用コンテンツボタン２１２Ｌは、二画面のうち左側の画面の入力映像を切り換えるために用いられ、右用コンテンツボタン２１２Ｒは、右側の画面の入力映像の切り換えに用いられる。
【００３０】
操作部２１はさらに、左用画面サイズ切替ボタン２１３Ｌと、右用画面サイズ切替ボタン２１３Ｒとを含む。両画面サイズ切替ボタン２１３Ｌ及び２１３Ｒは、一画面表示時の表示コンテンツの画面サイズ（表１を参照）を選択する操作ボタンである。左用画面サイズ切替ボタン２１３Ｌは、二画面表示時には、左側の画面に表示されたコンテンツの画面サイズ（表２を参照）を選択する操作ボタンであり、右用画面サイズ切替ボタン２１３Ｒは、右側画面の画面サイズを選択する操作ボタンである。
【００３１】
上記操作部２１に含まれる左用二画面ＯＮ／ＯＦＦボタン２１１Ｌ、左用コンテンツボタン２１２Ｌ及び左用画面サイズ切替ボタン２１３Ｌは、典型的には、表示部１２の左側の画面を観視する観視者により操作され、残りのボタン２１１Ｒ、２１２Ｒ及び２１３Ｒは、典型的には、右側の画面を観視する別の観視者により操作される。
【００３２】
次に、映像表示装置１の動作について説明する。映像処理部１１は、制御部１４からの制御命令がない限り、常時、同じ信号処理を入力映像信号に対して行い、処理済みの映像信号を表示部１２に供給する。表示部１２は、映像処理部１１からの映像信号を表示する。
【００３３】
制御部１４には、リアルタイムＯＳが実装されており、制御部１４は、複数の状態変数を持ち、状態変数の値に応じて、映像処理部１１に対して、映像信号の垂直同期信号のタイミングで発生する割り込み処理により、周期的に制御命令を発行している。リモコン２の操作部２１を観視者が操作することによって、イベントが発生し、イベント処理内容として変化させる必要のある状態変数の値が変化する。
【００３４】
イベント処理内容として変化のなかった状態変数は値が変わらないまま、次の垂直同期信号のタイミングで、映像処理部１１に制御命令として発行される。
【００３５】
制御部１４は、制御命令を送る前に、制御開始命令を送った後、複数の制御命令を映像処理部１１に送り、制御終了命令を送る。
【００３６】
映像処理部１１は、図示しないメモリに入力映像信号を溜め込み、制御部１４から受け取った制御命令を、制御開始命令から制御終了命令までの制御命令をまとめて処理し、制御終了命令受信後の次の垂直同期信号のタイミングで反映させ、表示部１２に映像信号を送る。
【００３７】
これによって、観視者の操作により信号処理を変化させても、同期の乱れのない映像が表示部１２に表示される。
【００３８】
なお、垂直同期信号のタイミングから、次の垂直同期信号のタイミングまでの間に、複数のイベントが発生し、同じ状態変数を変更するような状況が発生した場合は、最後に行われたイベントによる状態変数の変更が生かされる。
【００３９】
以後、この垂直同期信号のタイミングで行われる処理は、本実施の形態では興味の無いところであるため、その説明を割愛し、制御部１４の状態変数が変化したことで、表示部１２の表示が変更されるものとして説明する。
【００４０】
次に、観視者の操作に対する動作を、図面を用いて説明する。
【００４１】
まず、観視者が図１におけるリモコン２の操作部２１を操作、すなわち、図４におけるリモコン２のいずれかのボタンを映像表示装置１に向けて押下すると、図１におけるリモコン２の操作部２１から、押下されたボタンに対応した命令コードが発生し、送信部２２により映像表示装置１に送信される。
【００４２】
映像表示装置１において、受信部１３が、リモコン２からの命令を受信し、命令コードを取り出して制御部１４に伝える。
【００４３】
制御部１４は、現在の状態に応じて受けた命令コードをイベントとして処理し、必要な制御命令を映像処理部１１に伝える。
【００４４】
映像処理部１１は、入力映像信号に対する映像信号処理を、制御部１４からの制御命令に基づいた信号処理に変化させ、表示部１２に処理済みの映像信号を送る。
【００４５】
このようにして、観視者の操作により、表示部１２の表示状態を変化させることができる。
【００４６】
本映像表示装置１は、リモコン２を観視者が操作することにより、一画面と二画面表示の間の切り替えと、入力映像信号（以後、コンテンツという）の切り替えと、画面サイズの切り替えとを行うことができる。
【００４７】
以下の表３に、制御部１４が持つ状態変数名と、とりうる値とを示す。表３の網掛け部分は、映像表示装置１の立ち上げ時の初期値である。
【００４８】
【表３】
0005145797.tif 000004
【００４９】
マルチ画面モードは、表示部１２の画面を一画面にするか、二画面にするかを表す状態変数であり、とりうる値は、一画面と二画面である。
【００５０】
一画面コンテンツは一画面表示時の入力映像コンテンツを表す状態変数で、左画面コンテンツは二画面表示時の左画面の入力映像コンテンツを表す状態変数で、右画面コンテンツは二画面表示時の入力映像コンテンツを表す右画面の状態変数である。一画面コンテンツ、左画面コンテンツ、右画面コンテンツのとりうる値は、入力映像コンテンツの種類と同じで、Ａ、Ｂ、Ｃ及びＤとなる。
【００５１】
また、一画面サイズは、一画面表示時の画面サイズを表す状態変数であり、表１に示した、ノーマル、ワイド、スーパーワイド、ウルトラワイド、ウルトラズーム、スーパーズーム、ズームの７つである。
【００５２】
左画面サイズは、二画面表示時の左画面の画面サイズを表す状態変数で、右画面サイズは、二画面表示時の右画面の画面サイズを表す状態変数である。左画面サイズ、右画面サイズのとりうる値は、表２に示した、ノーマル、ワイド及びズームの３つである。
【００５３】
次に、各操作ボタンを押下した時の、画面遷移と制御フローを図を用いて説明する。
【００５４】
図５は、リモコン２の左用二画面ＯＮ／ＯＦＦボタン２１１Ｌを押下した場合の映像表示装置１の動作を示すフローチャートであり、図６は、左用二画面ＯＮ／ＯＦＦボタン２１１Ｌを押下する前の状態が一画面の場合の画面遷移を示す模式図であり、図７は、左用二画面ＯＮ／ＯＦＦボタン２１１Ｌを押下する前の状態が二画面の場合の画面遷移を示す模式図である。
【００５５】
左用二画面ＯＮ／ＯＦＦボタン２１１Ｌを観視者により押下されると、図５に示すように、ステップＳ５０１で、制御部１４は、現在設定されているマルチ画面モードの状態変数が一画面であるか、二画面であるかを判定する。
【００５６】
ステップＳ５０１で一画面と判定されると、処理はステップＳ５０２に進み、図示しないタイマーを解除し、マルチ画面モードの状態変数の値が二画面のものに変更され、左画面コンテンツ及び右画面コンテンツの状態変数が一画面コンテンツの値に変更される。なお、タイマーの解除とは、計時を終了させることを意味する。
【００５７】
一方、ステップＳ５０１で二画面と判定されると、処理はステップＳ５０３に進み、制御部１４は、一画面コンテンツの状態変数を右画面コンテンツの値に変更し、左画面コンテンツの状態変数をＯＦＦに変更する。制御部１４はさらに、上記タイマーによる計時を開始する。
【００５８】
ここで、図８は、ステップＳ５０３において計時が開始された際の映像表示装置１の動作を示すフローチャートである。
【００５９】
図５のステップＳ５０３においてタイマー計時が開始されると、まず、制御部１４は、ステップＳ８０１でタイマーをリセットし、その後、ステップＳ８０２でタイマーのカウントアップする。
【００６０】
次に、制御部１４は、ステップＳ８０３でタイマーが解除されたか否かを判定し、解除されたと判定すると、図８の処理は終了する。逆に、解除されていないと判定すると、制御部１４は、ステップＳ８０４でタイマーの現在のカウント値が、予め設定された閾値（ここでは時間Ｔ０を表す値とする）より大きいか否かを判定する。
【００６１】
閾値よりも大きくないと判定されると、処理はステップＳ８０２に戻される。それに対し、閾値よりも大きいと判定されると、処理はステップＳ８０５に進み、制御部１４は、タイマーのタイムアウトにより割込み（以下、タイムアウト割込みという）を発生させる。タイムアウト割込みが発生すると、図８の処理は終了する。
【００６２】
次に、図９は、タイムアウト割り込みが発生した際の映像表示装置１の動作を示すフローチャートである。
【００６３】
図９において、制御部１４は、ステップＳ９０１でマルチ画面モードの状態変数を１画面の値に変更する。この変更が完了すると図９の処理は終了する。
【００６４】
図５に示す処理によれば、一画面の場合の画面遷移は、図６に示すように、一画面から二画面に分割されて、遷移前の一画面コンテンツが、左画面及び右画面の両方に表示される。図６の例では、遷移前の一画面コンテンツがコンテンツＡであるから（図６の（ａ）を参照）、切替後には表示部１２の左画面にも右画面にもコンテンツＡが表示される（図６の（ｂ）を参照）。
【００６５】
一方、ステップＳ５０１で二画面と判定された場合の画面遷移は、図７に示すように、表示部１２の表示は、タイムアウト割込み後マルチ画面モードの状態変数が一画面の値に変更されるまでは、二画面の状態が維持される（図７の（ａ）及び（ｂ）を参照）。ただし、ステップＳ５０１で二画面と判定されてから、ステップＳ９０１にてマルチモード画面の状態変数が一画面の値に変更されるまでの間、表示部１２の左画面はＯＦＦ、つまりコンテンツが何も表示されないが、右画面には継続的に同じコンテンツが表示される（図７の（ｂ）を参照）。その後、ステップＳ９０１でマルチモード画面の状態変数が一画面の値に変更されると、表示部１２の表示は一画面に遷移し、その際、一画面コンテンツの状態変数は、右画面コンテンツの値であるため、それまでは右画面に表示されていたコンテンツが一画面全体に表示される（図７の（ｃ）を参照）。
【００６６】
図７の例では、遷移前の右画面にはコンテンツＢが表示され、遷移前の左画面にはコンテンツＡが表示されているので（図７の（ａ）を参照）、まず、左用二画面ＯＮ／ＯＦＦボタン２１１Ｌの押下後、右画面の表示は変わらないが、左画面の表示はＯＦＦされる（図７の（ｂ）を参照）。その状態で閾値Ｔ０が経過すると、コンテンツＢが一画面表示される（図７の（ｃ）を参照）。
【００６７】
図１０は、リモコン２の右用二画面ＯＮ／ＯＦＦボタン２１１Ｒを押下した場合の映像表示装置１の動作を示すフローチャートであり、図１１は、右用二画面ＯＮ／ＯＦＦボタン２１１Ｒを押下する前の状態が一画面の場合の画面遷移を示す図であり、図１２は、右用二画面ＯＮ／ＯＦＦボタン２１１Ｒが押下される前の状態が二画面の場合の画面遷移を示す模式図である。
【００６８】
右用二画面ＯＮ／ＯＦＦボタン２１１Ｒが観視者により押下されると、図１０の示すように、ステップＳ１００１で、マルチ画面モードが一画面であるか、二画面であるかが制御部１４により判定される。
【００６９】
ステップＳ１００１で一画面と判定されると、処理はステップＳ１００２に進み、図示しないタイマーを解除し、マルチ画面モードの状態変数の値が二画面のものに変更され、左画面コンテンツ及び右画面コンテンツの状態変数が一画面コンテンツの値に変更される。
【００７０】
一方、ステップＳ１００１で二画面と判定されると、処理はステップＳ１００３に進み、制御部１４は、一画面コンテンツの状態変数を左画面コンテンツの値に変更し、右画面コンテンツの状態変数をＯＦＦに変更する。制御部１４はさらに、上記タイマーによる計時を開始する。
【００７１】
ここで、タイマー計時を開始した後の制御部１４の動作は、図８を参照して説明した通りであり、図８の処理によりタイムアウト割り込みが発生した際の制御部１４の動作は図９を参照して説明した通りである。
【００７２】
図１０に示す処理によれば、一画面の場合の画面遷移は、図１１に示すように、一画面から二画面に分割されて、遷移前の一画面コンテンツが、左画面及び右画面の両方に表示される。図１１の例では、遷移前の一画面コンテンツがコンテンツＡであるから（図１１の（ａ）を参照）、切替後には表示部１２の左画面にも右画面にもコンテンツＡが表示される（図１１の（ｂ）を参照）。
【００７３】
一方、ステップＳ１００１で二画面と判定された場合の画面遷移は、図１２に示すように、表示部１２の表示は、タイムアウト割込み後マルチ画面モードの状態変数が一画面の値に変更されるまでは、二画面の状態が維持される（図１２の（ａ）及び（ｂ）を参照）。ただし、ステップＳ１００１で二画面と判定されてから、ステップＳ９０１にてマルチモード画面の状態変数が一画面の値に変更されるまでの間、表示部１２の左画面はＯＦＦ、つまりコンテンツが何も表示されないが、左画面には継続的に同じコンテンツが表示される（図１２の（ｂ）を参照）。その後、ステップＳ９０１でマルチモード画面の状態変数が一画面の値に変更されると、表示部１２の表示は一画面に遷移し、その際、一画面コンテンツの状態変数は、左画面コンテンツの値であるため、それまでは左画面に表示されていたコンテンツが一画面全体に表示される（図１２の（ｃ）を参照）。
【００７４】
図１２の例では、遷移前の左画面にはコンテンツＡが表示され、遷移前の右画面にはコンテンツＢが表示されているので（図１２の（ａ）を参照）、まず、右用二画面ＯＮ／ＯＦＦボタン２１１Ｒの押下後、左画面の表示は変わらないが、右画面の表示はＯＦＦされる（図１２の（ｂ）を参照）。その状態で閾値Ｔ０が経過すると、コンテンツＡが一画面表示される（図１２の（ｃ）を参照）。
【００７５】
以上説明したとおり、本実施の形態によれば、観視者毎で異なるコンテンツＡ，Ｂを二画面で表示中（図１２の（ａ）を参照）、例えば、右側画面を観視中の観視者が、左側画面に表示中のコンテンツＡに関心をもった場合、右用二画面ＯＮ／ＯＦＦボタン２１１Ｒを操作する。これによって、表示部１２には、例えば図１２の（ａ）の状態から、図１２（ｂ）に示すように、左側画面にコンテンツＡがそのまま表示され、右側画面の表示はＯＦＦにされる。その後、時間Ｔ０が経過すると、コンテンツＡが一画面表示される（図１２の（ｃ）を参照）。
【００７６】
上記のようにするのは下記の観点による。すなわち、右側画面の観視者による右用二画面ＯＮ／ＯＦＦボタン２１１Ｒの操作により、仮に、ダイレクトに、単一コンテンツの一画面表示に遷移させると、右側画面の観視者が操作を行ったことを知らない可能性がある左側画面の観視者は何が起こったのか把握しづらくなり当惑する。しかしながら、上記実施の形態の画面遷移によれば、「二画面に複数のコンテンツの表示」→「二画面のうち、操作された側の画面をＯＦＦ」→「単一コンテンツの一画面表示」というように、画面の表示内容を段階的に徐々に遷移させる。これによって、右側画面の観視者にとっては、左側画面のコンテンツが観視しやすくなり、さらに、左側画面の観視者にとっては、段階的な表示内容の遷移により、上記のような当惑を減らすことが可能となる。
【００７７】
なお、以上の説明では、「二画面に複数のコンテンツの表示」→「二画面のうち、操作された側の画面をＯＦＦ」→「単一コンテンツの一画面表示」というように表示内容を遷移させた。しかし、これに限らず、以下に説明する変形例のように表示内容を遷移させても構わない。
【００７８】
図１３は、リモコン２の左用二画面ＯＮ／ＯＦＦボタン２１１Ｌを押下した場合の映像表示装置１の動作を示すフローチャートであり、図１４は、左用二画面ＯＮ／ＯＦＦボタン２１１Ｌを押下する前の状態が二画面の場合の画面遷移を示す模式図である。
【００７９】
図１３は、図５のフローチャートと比較すると、ステップＳ５０３がステップＳ１３０１に代わる点を除けば同じステップを含む。それ故、図１３において、図５のステップに相当するものには同一のステップ番号を付け、それぞれの説明は省略する。
【００８０】
ステップＳ５０１で二画面と判定されると、処理はステップＳ１３０１に進み、制御部１４は、一画面コンテンツ及び左画面コンテンツの両状態変数を右画面コンテンツの値に変更する。制御部１４はさらに、上記タイマーによる計時を開始する。
【００８１】
ここで、タイマー計時を開始した後の制御部１４の動作は、図８を参照して説明した通りであり、図８の処理によりタイムアウト割り込みが発生した際の制御部１４の動作は図９を参照して説明した通りである。
【００８２】
上記処理によれば、ステップＳ５０１で二画面と判定された場合の画面遷移は、図１４に示すように、表示部１２の表示は、タイムアウト割込み後マルチ画面モードの状態変数が一画面の値に変更されるまでは、二画面の状態が維持される（図１４の（ａ）及び（ｂ）を参照）。ただし、ステップＳ５０１で二画面と判定されてから、ステップＳ９０１にてマルチモード画面の状態変数が一画面の値に変更されるまでの間、表示部１２の右画面及び左画面の双方に同じコンテンツが表示される（図１４の（ｂ）を参照）。つまり、この間、左画面に限り表示コンテンツが遷移する。その後、ステップＳ９０１でマルチモード画面の状態変数が一画面の値に変更されると、表示部１２の表示は一画面に遷移し、その際、一画面コンテンツの状態変数は、右画面コンテンツの値であるため、それまでは右画面に表示されていたコンテンツが一画面全体に表示される（図１４の（ｃ）を参照）。
【００８３】
図１４の例では、遷移前の右画面にはコンテンツＢが表示され、遷移前の左画面にはコンテンツＡが表示されているので（図１４の（ａ）を参照）、まず、左用二画面ＯＮ／ＯＦＦボタン２１１Ｌの押下後、右画面の表示は変わらないが、左画面の表示はコンテンツＢに遷移する（図１４の（ｂ）を参照）。その状態で閾値Ｔ０が経過すると、コンテンツＢが一画面表示される（図１４の（ｃ）を参照）。
【００８４】
また、図１５は、リモコン２の右用二画面ＯＮ／ＯＦＦボタン２１１Ｒを押下した場合の映像表示装置１の動作を示すフローチャートであり、図１６は、右用二画面ＯＮ／ＯＦＦボタン２１１Ｒを押下する前の状態が二画面の場合の画面遷移を示す模式図である。
【００８５】
図１５は、図１０のフローチャートと比較すると、ステップＳ１００３がステップＳ１５０１に代わる点を除けば同じステップを含む。それ故、図１５において、図１０のステップに相当するものには同一のステップ番号を付け、それぞれの説明は省略する。
【００８６】
ステップＳ１００１で二画面と判定されると、処理はステップＳ１５０１に進み、制御部１４は、一画面コンテンツ及び右画面コンテンツの両状態変数を左画面コンテンツの値に変更する。制御部１４はさらに、上記タイマーによる計時を開始する。
【００８７】
ここで、タイマー計時を開始した後の制御部１４の動作は、図８を参照して説明した通りであり、図８の処理によりタイムアウト割り込みが発生した際の制御部１４の動作は図９を参照して説明した通りである。
【００８８】
上記処理によれば、ステップＳ１００１で二画面と判定された場合の画面遷移は、図１６に示すように、表示部１２の表示は、タイムアウト割込み後マルチ画面モードの状態変数が一画面の値に変更されるまでは、二画面の状態が維持される（図１６の（ａ）及び（ｂ）を参照）。ただし、ステップ１５０１で二画面と判定されてから、ステップＳ９０１にてマルチモード画面の状態変数が一画面の値に変更されるまでの間、表示部１２の右画面及び左画面の双方に同じコンテンツが表示される（図１６の（ｂ）を参照）。つまり、この間、左画面に限り表示コンテンツが遷移する。その後、ステップＳ９０１でマルチモード画面の状態変数が一画面の値に変更されると、表示部１２の表示は一画面に遷移し、その際、一画面コンテンツの状態変数は、左画面コンテンツの値であるため、それまでは左画面に表示されていたコンテンツが一画面全体に表示される（図１６の（ｃ）を参照）。
【００８９】
図１６の例では、遷移前の右画面にはコンテンツＢが表示され、遷移前の左画面にはコンテンツＡが表示されているので（図１６の（ａ）を参照）、まず、右用二画面ＯＮ／ＯＦＦボタン２１１Ｒの押下後、左画面の表示は変わらないが、右画面の表示はコンテンツＡに遷移する（図１６の（ｂ）を参照）。その状態で閾値Ｔ０が経過すると、コンテンツＡが一画面表示される（図１６の（ｃ）を参照）。
【００９０】
上記変形例の画面遷移によれば、「二画面に複数のコンテンツの表示」→「二画面双方への同一コンテンツの表示」→「単一コンテンツの一画面表示」というように、画面の表示内容を段階的に徐々に遷移させることによっても、上記実施形態と同様の効果を得ることが可能となる。
【００９１】
なお、以上の実施形態及び変形例では、「二画面に複数のコンテンツの表示」から「単一コンテンツの一画面表示」へと表示内容を遷移させる間に、「二画面のうち、操作された側の画面をＯＦＦ」及び「二画面双方への同一コンテンツの表示」という中間的な表示を行っていた。しかし、これに限らず、図１７及び図１８に示すように、「二画面に複数のコンテンツの表示」から「単一コンテンツの一画面表示」へと表示内容をダイレクトに遷移させてもよい。
【００９２】
また、以上の実施形態では、例えば図７に示すように、「二画面のうち、操作された側の画面をＯＦＦ」（図７の（ａ）を参照）から「単一コンテンツの一画面表示」（図７の（ｃ）を参照）へとダイレクトに遷移させていた。しかし、このダイレクトな遷移のほかにも、例えば、映像表示装置１は、「二画面のうち、操作された側の画面をＯＦＦ」（図７の（ａ）を参照）から、操作されない側の画面（例えば、図７の（ｂ）に示す右側画面）に表示されたコンテンツを徐々に水平方向に拡大して、「単一コンテンツの一画面表示」（図７の（ｃ）を参照）というように遷移させても良い。同様に、映像表示装置１は、図１４の（ｂ）に示す右側画面のコンテンツＢを水平方向に徐々に拡大して、図１４の（ｃ）に示すような一画面表示に遷移させても構わない。
【図面の簡単な説明】
【００９３】
【図１】本発明の一実施形態に係る映像表示装置１の構成を示すブロック図
【図２】入力映像信号のアスペクト比の種類ごとに、各画面サイズで表示部１２に一画面表示した場合の見え方を示す図
【図３】入力映像信号のアスペクト比の種類ごとに、各画面サイズで表示部１２に二画面表示した場合の見え方を示す図
【図４】操作部２１の一例としてのボタン群を示す図
【図５】リモコン２の左用二画面ＯＮ／ＯＦＦボタン２１１Ｌを押下した場合の映像表示装置１の動作を示すフローチャート
【図６】左用二画面ＯＮ／ＯＦＦボタン２１１Ｌを押下する前の状態が一画面の場合の画面遷移を示す模式図
【図７】左用二画面ＯＮ／ＯＦＦボタン２１１Ｌを押下する前の状態が二画面の場合の画面遷移を示す模式図
【図８】図５のステップＳ５０３において計時が開始された際の映像表示装置１の動作を示すフローチャート
【図９】図８のステップＳ８０５でタイムアウト割込みが発生した際の映像表示装置１の動作を示すフローチャート
【図１０】リモコン２の右用二画面ＯＮ／ＯＦＦボタン２１１Ｒを押下した場合の映像表示装置１の動作を示すフローチャート
【図１１】右用二画面ＯＮ／ＯＦＦボタン２１１Ｒを押下する前の状態が一画面の場合の画面遷移を示す図
【図１２】右用二画面ＯＮ／ＯＦＦボタン２１１Ｒが押下される前の状態が二画面の場合の画面遷移を示す模式図
【図１３】リモコン２の左用二画面ＯＮ／ＯＦＦボタン２１１Ｌを押下した場合の映像表示装置１の動作の変形例を示すフローチャート
【図１４】左用二画面ＯＮ／ＯＦＦボタン２１１Ｌを押下する前の状態が二画面の場合の画面遷移の変形例を示す模式図
【図１５】リモコン２の右用二画面ＯＮ／ＯＦＦボタン２１１Ｒを押下した場合の映像表示装置１の動作の変形例を示すフローチャート
【図１６】右用二画面ＯＮ／ＯＦＦボタン２１１Ｒを押下する前の状態が二画面の場合の画面遷移の変形例を示す模式図
【図１７】左用二画面ＯＮ／ＯＦＦボタン２１１Ｌを押下する前の状態が二画面の場合における画面遷移の他の変形例を示す模式図
【図１８】右用二画面ＯＮ／ＯＦＦボタン２１１Ｒを押下する前の状態が二画面の場合における画面遷移の他の変形例を示す模式図
【符号の説明】
【００９４】
１  映像表示装置
２  リモコン
１１  映像処理部
１２  表示部
１３  受信部
１４  制御部
２１  操作部
２２  送信部
２１１Ｌ  左用二画面ＯＮ／ＯＦＦボタン
２１２Ｌ  左用コンテンツボタン
２１３Ｌ  左用画面サイズ切替ボタン
２１１Ｒ  右用二画面ＯＮ／ＯＦＦボタン
２１２Ｒ  右用コンテンツボタン
２１３Ｒ  右用画面サイズ切替ボタン
【図１】
0005145797.tif 000005
【図２】
0005145797.tif 000006
【図３】
0005145797.tif 000007
【図４】
0005145797.tif 000008
【図５】
0005145797.tif 000009
【図６】
0005145797.tif 000010
【図７】
0005145797.tif 000011
【図８】
0005145797.tif 000012
【図９】
0005145797.tif 000013
【図１０】
0005145797.tif 000014
【図１１】
0005145797.tif 000015
【図１２】
0005145797.tif 000016
【図１３】
0005145797.tif 000017
【図１４】
0005145797.tif 000018
【図１５】
0005145797.tif 000019
【図１６】
0005145797.tif 000020
【図１７】
0005145797.tif 000021
【図１８】
0005145797.tif 000022